(57)【特許請求の範囲】
【請求項１】
底板及び甲被からなるスリッパにおいて、該甲被が、長手方向の二辺が平行な平らな面と、その長手方向の二辺を構成する折りひだの山と、その長手方向の二辺と底板との周縁をすそとする折りひだの谷とから構成され、該底板には、長手方向中央付近を横断して、折り畳んだ時に折りひだが折れる位置にミシン掛けを施したことを特徴とするスリッパ。
【請求項２】
折りひだの谷に沿ってミシン掛けを施した請求項１のスリッパ。
【請求項３】
上記長手方向の二辺に沿ってミシン掛けを施した請求項１または２のスリッパ。
【請求項４】
折りひだの深さが爪先側に向かって順次浅くなっている請求項１ないし３のいずれかのスリッパ。
【請求項５】
上記平らな面の履口側の縁部が履口開口の上面を形成し、２本の折りひだの履口側くの字縁部とともに、広くて大きい履口開口を確保している請求項１ないし４のいずれかのスリッパ。
【請求項６】
底板及び甲被が、比較的軽量かつ肉薄の材料で製作されている請求項１ないし５のいずれかのスリッパ。
【請求項７】
旅行用スリッパである請求項１ないし６のいずれかのスリッパ。
【請求項８】
袋に収容した請求項７のスリッパ。
【請求項９】
袋の底が半円形の透明プラスチックフイルムでできた包装用容器である請求項８のスリッパ。
【発明の詳細な説明】
【０００１】
【産業の属する技術分野】
本発明は折り畳性、復原性にすぐれた履きごごちの良いスリッパに関するものである。より詳細には本発明は、平らな状態でコンパクトに収納可能で、かつ使用時直ちに復元して広くて大きい履口開口を確保することができるスリッパに関する。
【０００２】
【従来の技術】
飛行機や汽車、車等で長時間旅行する際や、外国でホテルに宿泊したりする際に旅行用スリッパが使用されている。このスリッパは、少しでも持ち運びの負担とならないように、底板、甲被ともに比較的肉薄かつ軽量の材料で製作されており、とくに甲被は、使用時は上に弧を描いて持ち上がっていてそのままでは収納に不都合のため、スリッパの長手方向に３つに折り畳むことができるように縦に２本の折れ目ないしは折り癖を設けてあることが多い。しかし収納した後、特に折り畳んで収納した後、底板の部分は直ちにもとの平らな状態に復元することができても、甲被の部分はつぶれたままで手を使って履口開口を確保しなければ使うことができないのが実情である。
【０００３】
【発明が解決しようとする課題】
本発明は、折り畳性、復原性にすぐれた履きごごちの良いスリッパの提供を目的とする。本発明は、平らな状態でコンパクトに収納でき、かつ使用時直ちに復元して広くて大きい履口開口を確保できるスリッパを提供することを目的とする。本発明は、二つ折りあるいは三つ折りして平らな状態でコンパクトに収納可能で、かつ使用時直ちに復元して広くて大きい履口開口と平らな底板を確保できるスリッパを提供することを目的とする。本発明は、スリッパの基本的構造は変えることなく、二つ折りにした場合には、実質上三層に折り畳むことができ、三つ折りにした場合には、実質上四層に折り畳むことができ、使用時には直ちに復元して広くて大きい履口開口と平らな底板を確保することができる旅行用スリッパを提供することを目的とする。
【０００４】
【課題を解決するための手段】
本発明は、底板及び甲被からなるスリッパにおいて、該甲被が、長手方向の二辺が平行な平らな面を有することを特徴とするスリッパを要旨としている。
本発明は、底板及び甲被からなるスリッパにおいて、該甲被が、長手方向の二辺が平行な平らな面を有し、その二辺が折りひだの山で構成されていることを特徴とするスリッパを要旨としている。
本発明は、底板及び甲被からなるスリッパにおいて、該甲被が、長手方向の二辺が平行な平らな面を有し、かつ該底板が、長手方向中央付近を横断して掛けられたミシン目を有することを特徴とするスリッパを要旨としている。
本発明は、底板及び甲被からなるスリッパにおいて、該甲被が、長手方向の二辺が平行な平らな面を有し、その二辺が折りひだの山で構成され、かつ該底板が、長手方向中央付近を横断して掛けられたミシン目を有していることを特徴とするスリッパを要旨としている。
【０００５】
【発明の実施の形態】
スリッパの基本的構造は、底板とこれに逢着された甲被とからなる。スリッパの甲被は通常上に弧を描いて持ち上がっている。本発明のスリッパは、甲被が長手方向の二辺が平行な平らな面を有することを特徴としている。甲被の形状は爪先が空いている形のものでも空いていない形のものでもよい。いずれの形状でも、この平らな面は収納時に底板と重なるため平らな状態でコンパクトに収納可能である。この平らな面は折り癖や折り皺がなく平らなままなので使用時直ちに復元して広くて大きい履口開口を確保するのに役立つ。甲被を比較的肉薄かつ軽量の材料で製作した場合、この平らな面は使用時に上に弧を描いて持ち上がって甲を安定に支持する機能をもつ。
【０００６】
本発明のスリッパの甲被は、長手方向の二辺が平行な平らな面を有しているが、その二辺は折りひだの山で構成されていることが好ましくい。折りひだの山をしっかりと付けることにより、上記平らな面を安定なものとして確保することができる。折りひだの谷に沿ってミシン掛けを施す、およびまたは上記長手方向の二辺に沿ってミシン掛けを施すことにより、上記平らな面を一層安定なものとして確保することができる。また、折りひだをしっかりとつけることにより、甲被の平らな面を弾力的に支えその復原性を確かなものとする。
【０００７】
折りひだの深さは爪先側に向かって順次浅くする。折りひだの深さを爪先側に向かって順次浅くすることにより、上記平らな面の履口側の縁部が履口開口の上面を形成し、２本の折りひだの履口側くの字縁部とともに、広くて大きい履口開口を確保することができる。
本発明のスリッパは、好ましくは底板及び甲被が、比較的軽量かつ肉薄の材料で製作されている。本発明の上記スリッパは、底板及びその正面に逢着又は貼着された甲被からなり、比較的軽量かつ肉薄の材料で製作されたスリッパにおいて、該底板の長手方向中央付近を横断してミシン掛けを施した態様を包含する。
ここで、ミシン掛けは、スリッパの底板が比較的薄く作られている場合には１条でよいが、底板が比較的厚く作られていたり比較的剛性の高い材料で作られている場合には、二条又はそれ以上とするのが好ましい。ミシン目をこのように二条とする場合には、その間隔は３〜１０ｍｍ程度が好ましい。
【０００８】
本発明のスリッパは、前記のとおり全体が薄くかつ軽量の材料、換言すると合成樹脂を主とした可撓性の材料で製作されているため、底板にミシン目を施してもこの部分で破損するようなことはない。しかし、このミシン目は、この部分に折り癖を施すためのものであるから、あまり細かい目で施す必要はなく、粗い目で十分であるし、この目的を達するかぎり、スリッパの底板中央部を完全に横断してミシン掛けを施す必要はなく、例えば、スリッパの材質によって折り癖をつけるのに十分である場合は、中央横幅部分の両端部分のみとか、横幅の中央部分のみ等であっても差し支えない。
また、ミシン掛けを底板の長手方向中央に沿って施してもよく、底板の長手方向を三分するように設けてもよい。
【０００９】
本発明のスリッパは旅行用スリッパとして最適である。本発明のスリッパは、そのままで重ね合わせると、あるいは折り曲げて重ね合わせると、平らに重なるので、袋にコンパクトに収容することができる。
上記袋として採用できるものは、特に制限はない。スリッパを折り曲げて重ね合わせた時の形状に合わせた袋を使用することができる。すなわち、折り曲げて重ね合わせると、底が半円形の透明プラスチックフイルムでできた１つの袋にコンパクトに収納することができる。
【００１０】
【作用】
甲被の平らな面は、収納時に、底板と平行な面で重なるため、平らな状態でコンパクトに収納可能である。収納したスリッパを使用するときには、この平らな面には折り癖や折り皺がつかず平らなままなので、使用時直ちに復元して広くて大きい履口開口を確保するのに役立つ。甲被を比較的肉薄かつ軽量の材料で製作した場合、この平らな面は使用時に上にゆるく弧を描いて持ち上がって甲を安定に支持する機能をもつ。平らな面は模様をつけたりデザインしたネームプレート、宣伝用マークなどを帖着することができる。
【００１１】
甲被に付けられた折りひだは、その山がスリッパの甲被の平らな面の二辺を構成する、箱ひだとしてつける付け方が好ましく、折りひだの山をしっかりと付けることにより、上記平らな面を安定なものとして確保することができる。折りひだの谷に沿ってミシン掛けを施す、およびまたは上記長手方向の二辺に沿ってミシン掛けを施すことにより、上記平らな面を一層安定なものとして確保することができる。
【００１２】
甲被に付けられた折りひだは、また、折りひだをしっかりとつけることにより、甲被の平らな面を弾力的に支えその復原性を確かなものとする。
折りひだの深さは爪先側に向かって順次浅くする。折りひだの深さを爪先側に向かって順次浅くすることにより、上記平らな面の履口側の縁部が履口開口の上面を形成し、２本の折りひだの履口側くの字縁部とともに、広くて大きい履口開口を確保することができる。
【００１３】
底板の長手方向中央付近を横断して掛けたミシン目は、そのミシン目の部分で容易に折り畳むことができる。スリッパの上側を外にして縦に二つ折りし、または三つ折りしコンパクトに旅行鞄等に収納することができる。また、二つ折りまたは三つ折りして収納したスリッパを使用するときには、底板の部分も直ちにもとの平らな状態に復し、無理に折り畳んで収納した場合のように折り癖が残ることがない。
【００１４】
以上の通り、本発明のスリッパは、甲被の平らな面と折りひだ、および底板の長手方向中央付近を横断して掛けたミシン目の結合により、スリッパの上側を外にして縦に二つ折りしまたは三つ折りした場合、限りなく広くした甲被の平らな面は折りひだによって弾力的に支えら復原性を維持した状態で平らなまま底板と平行な面で重なる。本発明のスリッパは、折り畳性にすぐれているため透明な包装用袋など簡単にコンパクトに収容することができ、復原性にすぐれているため、使用時に広くて大きい履口と平らな底板を確保することができる。
【００１５】
【実施例】
次に、本発明を実施例により説明する。本発明はこれらの実施例によってなんら制限されるものではない。
【００１６】
実施例１
図１は、本発明の甲被に平らな面を有するスリッパの一実施例の平面図であり、図２はその底面図であり、図３はその左側面図である。図４はその後面図であり、図５はその正面図である。
【００１７】
図示されたように、このスリッパは、基本的に底板１とこれに逢着された甲被２とからなる。甲被２は、ポリウレタンフォームシートの表裏に布が貼着された素材が使用され、非常に軽くソフト作られている。甲被２には、長手方向の二辺Ａ1、Ａ2が平行な平らな面３が形成されている。上記長手方向の二辺Ａ1、Ａ2は、それぞれ折りひだ４の山で構成され、その山に沿ってミシン目が掛けられている。折りひだ４の谷に沿ってもミシン目が掛けられている。
【００１８】
底板１は、発泡ポリエチレン樹脂シートを挟んで可撓性の合成樹脂シートからなる本底と布製の中敷とを貼着、積層した構造の素材で作製されており、汎用のスリッパに比べるとやや薄くかつ軽い。底板１と甲被２との周縁および甲被の履口側の縁部には、バイアステープをミシンで逢着して縁取りが施されている。
折りひだ４の深さは爪先側に向かって順次浅くなっている。上記平らな面３の履口側の縁部が履口開口の上面を形成し、２本の折りひだ４、４の履口側くの字縁部とともに、広くて大きい履口開口を確保している。
そして、底板１の中央付近には、太い番手の糸による粗めのミシン掛けが２本施されている。
【００１９】
本例においてミシン掛けを２本にしたのは、本底と中敷との間に積層する底板１の芯となる材料として、剛性の高い発泡ポリエチレン樹脂シートを用いたためである。このようにミシン目を２本にすることにより、底板に多少剛性の高い材料を使用しても容易に折れ曲げができるようになる。
図６は、図１のスリッパを、中央のミシン掛けに沿って本底の面を合わせるように折り曲げた状態を示す図面である。１足のスリッパをこのように折り曲げて重ね合わせると、１つの袋にコンパクトに収納することができる（図面省略）。
【００２０】
実施例２
図７は、本発明の甲被に平らな面を有するスリッパの他の実施例の平面図であり、図８はその底面図であり、図９はその左側面図である。図１０はその後面図であり、図１１はその正面図である。
実施例１と同様に、基本的に底板１とこれに逢着された甲被２とからなる。甲被２は、ポリウレタンフォームシートの表裏に布が貼着された素材が使用され、非常に軽くソフト作られている。甲被は、爪先を解放した解放形式の甲被であり、長手方向の二辺Ａ1、Ａ2が平行な平らな面３が形成されている。上記長手方向の二辺Ａ1、Ａ2は、それぞれ折りひだ４の山で構成され、その山に沿ってミシン目が掛けられている。
折りひだ４の谷に沿ってはミシン目が掛けられていない。
【００２１】
底板１は、薄いポリウレタンフォームシートを挟んで可撓性の合成樹脂シートからなる本底と布製の中敷とを貼着、積層した構造の素材で作製されており、汎用のスリッパに比べると非常に薄くかつ軽い。底板１と甲被２との周縁、甲被の爪先部周縁および履口側の縁部には、バイアステープをミシンで逢着して縁取りが施されている。折りひだ４の深さは爪先側に向かって順次浅くなっている。上記平らな面３の履口側の縁部が履口開口の上面を形成し、２本の折りひだ４、４の履口側くの字縁部とともに、広くて大きい履口開口を確保している。そして、底板１の中央付近には、太い番手の糸による粗めのミシン掛けが１本施されている。
本例においてミシン掛けを１本にしたのは、本底と中敷との間に積層する底板１の芯となる材料として、実施例１の剛性の高い発泡ポリエチレン樹脂シートに代えて、剛性の低い薄いポリウレタンフォームシートを用いたためである。
【００２２】
比較例
図１２は、従来の旅行用スリッパの平面図であり、図１３はその後面図である。少しでも持ち運びの負担とならないように、底板１、甲被２ともに比較的肉薄かつ軽量の材料で製作されており、とくに甲被２は、使用時は上に弧を描いて持ち上がっていてそのままでは収納に不都合のため、スリッパの長手方向に３つに折り畳むことができるように縦に２本の折れ目ないしは折り癖を設けてあることが多い。しかし収納した後、特に折り畳んで収納した後、底板の部分は直ちにもとの平らな状態に復元することができても、甲被の部分はつぶれたままで手を使って履口開口を広げて確保しなければ使うことができない。
【００２３】
【発明の効果】
折り畳性、復原性にすぐれた履きごごちの良いスリッパを提供できる。平らな状態でコンパクトに収納可能で、かつ使用時直ちに復元して広くて大きい履口開口を確保するスリッパを提供できる。二つ折りあるいは三つ折りして平らな状態でコンパクトに収納可能で、かつ使用時直ちに復元して広くて大きい履口開口と平らな底板を確保できるスリッパを提供きる。スリッパの基本的構造は変えることなく、二つ折りした場合には、実質上三層に折り畳むことができ、三つ折りした場合には、実質上四層に折り畳むことができ、しかも使用時には直ちに復元して広くて大きい履口開口と平らな底板を確保する旅行用スリッパを提供できる。
【図面の簡単な説明】
【図１】本発明の甲被に平らな面を有するスリッパの一実施例の平面図である。
【図２】図１のスリッパの底面図である。
【図３】図１のスリッパの左側面図である。
【図４】図１のスリッパの後面図である。
【図５】図１のスリッパの正面図である。
【図６】図１のスリッパを折り曲げた状態を説明する図面である。
【図７】爪先を解放した解放形式の甲被に平らな面を有する本発明のスリッパの他の実施例の平面図である。
【図８】図７のスリッパの底面図である。
【図９】図７のスリッパの左側面図である。
【図１０】図７のスリッパの後面図である。
【図１１】図７のスリッパの正面図である。
【図１２】従来の旅行用スリッパの平面図である。
【図１３】図１２の従来の旅行用スリッパの斜め上からの後面図である。
【符号の説明】
１  底板
２  甲被
３  平らな面
４  甲被に形成された折りひだ
【図１】
0003773147.tif 000002
【図２】
0003773147.tif 000003
【図３】
0003773147.tif 000004
【図４】
0003773147.tif 000005
【図５】
0003773147.tif 000006
【図６】
0003773147.tif 000007
【図７】
0003773147.tif 000008
【図８】
0003773147.tif 000009
【図９】
0003773147.tif 000010
【図１０】
0003773147.tif 000011
【図１１】
0003773147.tif 000012
【図１２】
0003773147.tif 000013
【図１３】
0003773147.tif 000014